(57)【要約】【課題】  薄型表示装置および液晶表示装置の軽量化、薄型化の実現手段を提供する。【解決手段】  従来、液晶表示パネルを額縁構造の液晶表示パネル外枠、および液晶表示パネル内枠により挟持し、単独の液晶表示パネルユニットとして扱ってきたが、該液晶表示パネル内枠を排除し、液晶表示パネルを液晶表示パネル外枠、およびバックライト装置により挟持する。又、液晶表示装置の組立構造において、反射板と光源を有する光源装置の上に光学シートを載置し、その上に液晶表示パネルの後方押さえ機能を有する光学シート押さえ部材を載置し、その上に液晶表示パネルを位置決めして載置し、その上から外枠により液晶表示パネルを固定することを特徴とする。【選択図】  図２
2006215492.tif 000002
【特許請求の範囲】
【請求項１】
液晶表示パネル、およびバックライト装置を構成要素とする液晶表示装置において、
該液晶表示パネルを額縁構造の取り付け枠、およびバックライト装置により挟持することを特徴とした液晶表示装置。
【請求項２】
液晶表示パネル、およびバックライト装置を構成要素とする液晶表示装置において、
該バックライト装置の光学シート押さえ部材に該液晶パネルの後方押さえ機能を持たせたことを特徴とした液晶表示装置。
【請求項３】
液晶表示装置の組立構造において、反射板と光源を有する光源装置の上に光学シートを載置し、その上に液晶表示パネルの後方押さえ機能を有する光学シート押さえ部材を載置し、その上に液晶表示パネルを位置決めして載置し、その上から外枠により液晶表示パネルを固定する液晶表示装置の組立構造。
【発明の詳細な説明】
【技術分野】
【０００１】
本発明は液晶表示装置、ならびに液晶表示装置の組立構造に関し、詳しくは液晶表示パネルの表裏面を額縁構造の液晶表示パネル外枠、および液晶表示パネル内枠により挟持する従来構造から、該液晶表示パネル内枠を排除し、液晶表示パネルを液晶表示パネル外枠、およびバックライト装置により挟持した構造を有する液晶表示装置、ならびに液晶表示装置の組立構造に関する。
【背景技術】
【０００２】
従来、液晶テレビ等の液晶表示装置の光学部は、バックライト装置を構成するバックライトシャーシの外周部に、バックライト装置取り付けタブを一体に組み付け、該バックライト装置取り付けタブの前面に、液晶表示パネルの外周部を覆う液晶表示パネル外枠の取り付けタブを重ね、液晶表示パネルユニット、およびバックライト装置を係合し、液晶表示装置の光学部を構成していた。従来技術による該液晶表示パネルユニットの構成に関する発明として、特許文献１に記載の「液晶表示装置」がある。該従来技術によれば、液晶表示パネルユニットは液晶表示パネルを前方から押さえる前部ベゼルと、後方から押さえる後部ベゼルにより構成されていた。さらに、従来の液晶表示装置は、通常、バックライト側で拡散板、プリズムシート等の光学シートを押さえる枠により光学シートを押さえてから、液晶表示パネルユニットを係合する組立構造となっており、液晶表示ユニットを上に載せるための光学シートの押さえ及び液晶表示ユニットからの保護のための光学シート押さえ部材を必要としていた。
【０００３】
さらに、従来技術の詳細な構成を説明するため、図４に液晶表示パネルユニットの外観斜視図を、図５に該液晶表示パネルユニットの分解斜視図を示す。図５において、６は液晶表示パネル、７は液晶表示パネルユニット外枠７である。液晶表示パネル６の画像表示面を露出させるために液晶表示パネルユニット外枠７は大きな開口部を有し、該液晶表示パネルユニット外枠７の周辺枠部は断面が「Ｌ字」状に形成されており、該液晶表示パネル６を該液晶表示パネルユニット外枠７に嵌入する。次に、該液晶表示パネルユニット外枠７と同様に大きな開口部を有し、周辺枠部の断面が「Ｌ字」状に形成された液晶表示パネルユニット内枠１８を該液晶表示パネルユニット外枠７内に嵌入後、液晶表示パネルユニット外枠７の周辺枠部に穿接された螺子挿通孔７ａに液晶パネルユニット組み立て用螺子１６を挿通し、液晶表示パネルユニット内枠１８の周辺枠部に穿設された螺子孔１８ａに螺着することにより、液晶表示パネル６の表裏両面の周辺部が液晶表示パネルユニット外枠７の周辺枠部、および液晶表示パネルユニット内枠１８の周辺枠部分により挟持される。
【０００４】
液晶表示パネル６は図５に示すごとく、表面ガラス板６ａ、および背面ガラス板６ｂを対向させ、該ガラス板６ａ、および６ｂの対向面周辺部を接着剤により封着し、ガラス封着部６ｈを形成すると共に、該表面ガラス板６ａ、および背面ガラス板６ｂのガラス板対向面内部には液晶材料を充填している。表面ガラス板６ａの裏面には表示画像を構成する多数の画素を駆動するためのＴＦＴ（Ｔｈｉｎ  Ｆｉｌｍ  Ｔｒａｎｓｉｓｔoｒ）が形成されている。
【０００５】
前記各ＴＦＴのソース電極配線は、液晶表示パネル６の長辺の該ガラス封着部６ｈから外部に引き出され、図５中に示すフレキシブル印刷配線基板６ｄ面にマウントされたソース駆動用ＩＣチップ６ｃ、およびソース回路用コネクタ６ｅを経由し、所要の回路に導接される。一方、画素駆動用の該ＴＦＴのゲート電極配線は、液晶表示パネル６の短辺の該ガラス封着部６ｈから外部に引き出され、フレキシブル印刷配線基板６ｄにマウントされたゲート駆動用ＩＣチップ６ｆ、およびゲート回路用コネクタ６ｇを経由し、所要の回路に導接される。
【０００６】
前記液晶表示パネル６は、その大部分が数ミクロンの間隙を保持して対向する表面ガラス板６ａ、および背面ガラス板６ｂの２枚のガラス板で構成され、且つ、該表面ガラス板６ａの裏面に形成された極めて多くのＴＦＴの電極から引き出される多数の回路配線を、対向する該ガラス板間の微小間隙を経由し、液晶表示パネル６外に導出するため、柔軟で、薄型のフレキシブル印刷配線基板６ｄが適用され、さらには、該フレキシブル印刷配線基板６ｄ面にはソース駆動用ＩＣチップ６ｃ、またはゲート駆動用ＩＣチップ６ｆが、パッケージを有しないベアチップの状態でマウントされている。
【０００７】
上記のごとく、液晶表示パネル６はいずれの構成要素部分も機械的、電気的に脆弱で、これらの構成要素部分を過剰な外部応力や静電気から保護し、不具合の発生を防止するために、図５に示すごとく液晶表示パネル６の前面の周辺部、および側面は、液晶表示パネルユニット外枠７により、また液晶表示パネル６の背面の周辺部も、同様に液晶表示パネルユニット内枠１８により挟持され、保護されている。
【特許文献１】特開平０６−２２２３３５号公報  「液晶表示装置」
【発明の開示】
【発明が解決しようとする課題】
【０００８】
液晶表示パネル６は表面ガラス板６ａの裏面に多数のＴＦＴが形成されていること、表面ガラス板６ａ、および背面ガラス板６ｂの２枚のガラス板の対向面間隙は、数ミクロンオーダーの微小寸法に維持されていること、および該表面ガラス板６ａ、および背面ガラス板６ｂの２枚のガラス板の対向面周辺部には封止のための接着剤が適用されていることなどの理由から、液晶表示パネル６は空気中における浮遊微小粒子、浮遊微生物が限定された清浄度レベル以下に維持管理されたクリーンルーム環境において製造され、本発明の実施例としての液晶テレビの組み立て作業とは異なり、高度に管理された環境と設備のもとで製造される。
【０００９】
前記理由から、液晶表示パネルは、液晶表示パネル製造に特化された専用の製造工場、または製造工程で製造され、単独の部品、または製品として扱われ、最終製品形態である液晶テレビや液晶ディスプレイなどの液晶表示パネル適用製品の組み立て工場、または、工程に移送される。工場間、または工程間の移送中に、機械的、電気的に脆弱な液晶表示パネルを構成する各要素部分を過剰な外部応力や静電気から保護し、不具合の発生を防止するために、図５に示すごとく液晶表示パネル６前面の周辺部、および側面を液晶表示パネルユニット外枠７により、また液晶表示パネルの背面の周辺部は液晶表示パネルユニット内枠１８により挟持し、工場間、または、工程間での移送中に加えられる機械的、電気的ストレスから保護している。
【００１０】
前記のごとく、該液晶表示パネルを単独製品として扱い、工場間、または工程間の移送中に加えられる機械的、電気的ストレスから該液晶パネルを保護するために、該液晶表示パネルを液晶表示パネルユニット外枠１７、および液晶表示パネルユニット内枠１８により保護する構造を適用する他に、移送距離の長短、および液晶表示パネルの表示画面サイズに従い適切な材料や構造の梱包箱や梱包箱内部に同梱する緩衝部材を準備し、単独製品としての液晶表示パネルの工場間、または工程間での移送に対応してきた。
【００１１】
しかしながら、液晶表示パネルを適用した液晶テレビや液晶ディスプレイなどの最終製品では、液晶表示パネルの背面にバックライト装置を組み付けることが構成要件であり、液晶表示パネルユニットを構成要素のひとつである液晶表示パネルユニット内枠は最終製品では必要のない部分である。従って、液晶表示パネルユニット内枠の存在は、最終製品の薄型化、軽量化、コスト低減を遂行するための障害要因となっていた。
【課題を解決するための手段】
【００１２】
第1の発明においては、液晶表示パネル、およびバックライト装置を構成要素とする液晶表示装置において、該液晶表示パネルを額縁構造の液晶表示パネルユニット外枠、およびバックライト装置により挟持する。
【００１３】
第２の発明においては、バックライトの光学シート押さえに液晶表示パネルの後方押さえ機能を持たせるものである。
【００１４】
第３の発明においては、反射板と光源を有する光源装置の上に光学シートを載置し、その上に液晶表示パネルの後方押さえ機能を有する光学シート押さえ部材を載置し、その上に液晶表示パネルを位置決めして載置し、その上から外枠により液晶表示パネルを固定する液晶表示装置の組立構造である。
【発明の効果】
【００１５】
従来技術によれば、液晶表示パネルを額縁構造の液晶表示パネルユニット外枠、および液晶表示パネルユニット内枠により挟持し、単独の液晶表示パネルユニットとして扱ってきたが、本発明によれば、液晶表示パネルを液晶表示パネルユニット外枠、およびバックライト装置により挟持する構成としたため、従来から用いて来た液晶表示パネルユニット内枠を排除することが出来、部品点数の削減により、軽量化、薄型化、及びコスト削減が可能とした。
【００１６】
また本発明の別の構造によれば、従来技術では、バックライトの光学シート押さえ部材と、液晶表示パネルの後方の押さえ部材としての内枠と別々の部品が必要であったところが、本発明の別の構造では、前記光学シート押さえに液晶パネルの後方の押さえ部材としての内枠の機能を持たせたため、光学シート押さえ部材と液晶表示パネルの内枠を兼用する構成とし、内枠を削減し、部品点数の削減により、軽量化、薄型化、及びコスト削減が可能とした。
【発明を実施するための最良の形態】
【００１７】
以下、図に基づいて本発明の実施形態を液晶テレビに適用した場合に関し説明する。図１は本発明に係る液晶テレビの外観斜視図を示し、図１中の１は前キャビネット、２は後ろキャビネット、３は液晶テレビの操作部、４はスピーカ、５はスタンド、６は液晶表示パネルを示す。
【００１８】
図２は前記液晶テレビ内部の光学部を示す斜視図である。図示するごとく、光学部前部には、画像を表示するための液晶表示パネル６、および該液晶表示パネル６を保持するための液晶表示パネル外枠２７が、そして光学部後部には液晶表示パネル６の背面を照明するためのバックライト装置１２が配設されている。液晶表示パネル外枠２７の周辺部に設けられた液晶表示パネル外枠取り付けタブ２４を、バックライト装置１２を構成するバックライトシャーシ１１の周辺部に設けられたバックライト装置取り付けタブ１５に螺子１７により螺着し、光学部を構成している。
【００１９】
次に、図３に基づき前記バックライト装置１２の内部構成の概略を説明する。バックライトシャーシ１１の液晶表示パネル６側には光反射板１０が図示しないランプクリップにより固定され、光反射板１０の前面には、ランプホルダ（図示せず）にて両端を固定された複数本の発光管９が配置されている。さらに、光拡散板８をバックライトシャーシ１１に螺子にて固定し、バックライト装置１２が完成する。
【００２０】
一方、ガラス板や、パッケージにより覆われないベアチップ状態のＩＣ、およびフレキシブル印刷配線基板など、いずれも機械的、電気的に脆弱な要素部分で構成される液晶表示パネル６を過剰な外部応力や静電気から保護し、不具合の発生を防止するために、従来技術によれば、図５に示すごとく液晶表示パネル６の前面の周辺部、および側面は、液晶表示パネルユニット外枠７により、また液晶表示パネル６の背面の周辺部も、同様に液晶表示パネルユニット内枠１８により挟持され、保護されて来た。
【００２１】
液晶表示パネル製造工場、または製造工程から、最終製品である液晶テレビや液晶ディスプレイの組み立て工場、または組み立て工程への移送に対応するには、図５に示すごとく、液晶表示パネル６の表裏両面を液晶表示パネルユニット外枠７、および液晶表示パネルユニット内枠１８により堅固に挟持する必要があった他、移送距離の長短、および液晶表示パネルの表示画面サイズに従い適切な材料や構造の梱包箱や梱包箱内部に同梱する緩衝部材を準備し、液晶表示パネルの保護に細心の注意を以て取り扱う必要があった。
【００２２】
このため、液晶表示パネル製造工場、または製造工程から、最終製品である液晶テレビや液晶ディスプレイの組み立て工場、または組み立て工程への移送に要する輸送費用や梱包費用削減のため、液晶表示パネル製造工程、および該液晶表示パネルを適用した最終製品である液晶テレビや液晶表示ディスプレイの組み立て工程を同一工場内に設置した工場内レイアウトを採用し、両工程間の移送をほぼ皆無とする、または移送距離を著しく短縮することが可能となってきた。このような状況に鑑み、図５に示す従来の液晶表示パネルユニット１３の構成要素であった液晶表示パネルユニット内枠１８を排除し、図３に示すごとく、液晶表示パネル６を液晶表示パネル外枠２７、およびバックライトユニット１２で挟持することが出来、液晶テレビの光学部の構造の薄型化、軽量化、組み立て作業の簡略化を可能とした。
【００２３】
本発明の別の実施形態を図６により説明する。（図３と共通するところは説明を省略する。）拡散板、プリズムシート等の光学シート８は、枠状の光学シート押さえ部材２８によりバックライト装置に固定されている。
【００２４】
前記光学シート押さえ部材２８は、光学シート側には光学シートと当接する位置に光学シートの傷つき等を防止するテープ状の弾性部材が貼り付けてあり、液晶表示パネル側には液晶表示パネルと当接する位置に振動、衝撃などによる液晶表示パネルの破損を防止するテープ状の弾性部材が貼り付けてあり、さらに液晶表示パネルを載置した際に液晶表示パネルを位置決めする段差または凹凸とが設けてある。
【００２５】
液晶表示装置を組立する構造は、バックライトシャーシ１１に光反射板１１を載せ、発光管９を取り付け、光学シート８を載せ、光学シート押さえ部材２８を乗せ、その上に液晶表示パネル製造工程から移動してきた液晶パネル６を位置決めして乗せ、最後に液晶表示パネル外枠２７を載せて、液晶表示パネル外枠取り付けタブ２４にて螺子１７により螺着して固定する組立構造とする。
【００２６】
図６の組立構造においても、図３の構造と同じように、液晶表示パネルを直接取り付けられるために、液晶表示パネルを外枠と内枠で固定した液晶表示パネルユニットを別工程または別工場で生産する必要がないため製造コストの削減が計れ、また、液晶表示パネルユニットの内枠部材が削減できるため、省材料および薄型化を可能とした。
【産業上の利用可能性】
【００２７】
本発明の実施形態を、液晶テレビへの適用例により説明しているが、液晶表示パネル、およびバックライトを構成要件とする類似の液晶ディスプレイ、およびノート型パソコンなどに適用しても同様に好適である。
【図面の簡単な説明】
【００２８】
【図１】本発明に係る液晶テレビの外観斜視図である。
【図２】本発明に係る液晶テレビ内部の光学部を示す斜視図である。
【図３】本発明に係る液晶テレビの光学部の分解斜視図である。
【図４】液晶テレビの光学部の構成要素である液晶表示パネルユニットの従来技術を示す斜視図である。
【図５】図４の液晶表示パネルユニットの分解斜視図である。
【図６】本発明に係る他の実施態様の液晶テレビの光学部の分解斜視図である。
【符号の説明】
【００２９】
１：  前キャビネット
２：  後ろキャビネット
３：  操作部
４：  スピーカ
５：  スタンド
６：  液晶表示パネル
６ａ：  表面ガラス板
６ｂ：  背面ガラス板
６ｃ：  ソース駆動用ＩＣチップ
６ｄ：  フレキシブル印刷配線基板
６ｅ：  ソース回路用コネクタ
６ｆ：  ゲート駆動用ＩＣチップ
６ｇ：  ゲート回路用コネクタ
６ｈ：  ガラス封着部
７：  液晶表示パネルユニット外枠
７ａ：  螺子挿通孔
８：  光拡散板
９：  発光管
１０：  光反射板
１１：  バックライトシャーシ
１２：  バックライト装置
１３：  液晶表示パネルユニット
１４：  液晶表示パネル外枠取り付けタブ
１５：  バックライト装置取り付けタブ
１６：  液晶パネルユニット組み立て用螺子
１７：  螺子
１８：  液晶表示パネルユニット内枠
１８ａ：  螺子孔
２４：  液晶表示パネル外枠取り付けタブ
２７：  液晶表示パネル外枠
２８：  光学シート押さえ部材
【図１】
2006215492.tif 000003
【図２】
2006215492.tif 000004
【図３】
2006215492.tif 000005
【図４】
2006215492.tif 000006
【図５】
2006215492.tif 000007
【図６】
2006215492.tif 000008